(57)【特許請求の範囲】
【請求項１】
メディアファイルの伝送方法であって、
第１の使用者は、第１の電子装置によって、物品に付された電子ラベルに記録した識別子を取得して、前記第１の電子装置に第１の識別データを入力してメディアファイルを選択して、前記第１の電子装置は、前記識別子、前記第１の識別データ及び前記メディアファイルをサーバーに伝送するステップＡと、
前記サーバーは、前記メディアファイルを記憶して、前記識別子、前記第１の識別データ及び前記メディアファイルのリンク情報を含む記録データグループを生成するステップＢと、
第２の使用者は、前記物品及び前記電子ラベルを取得し、かつ第２の電子装置により前記物品に付された前記電子ラベルに記録した前記識別子を取得して、前記第２の電子装置に第２の識別データを入力し、前記第２の電子装置は、前記識別子及び前記第２の識別データを前記サーバーに伝送するステップＣと、
前記サーバーは、第２の電子装置が伝送した前記識別子及び前記第２の識別データと前記記録データグループにおける前記識別子及び前記第１の識別データとを照合してそれぞれ一致すると判断したとき、前記メディアファイルの前記リンク情報を前記第２の電子装置に伝送し、前記第２の電子装置は、受信した前記リンク情報に基づいて前記メディアファイルを取得するステップＤと
を含むメディアファイルの伝送方法。
【請求項２】
前記サーバーは、記憶した前記メディアファイルに基づいて前記メディアファイルにリンクできるネットアドレスを生成し、前記ネットアドレスは、前記リンク情報を構成する、請求項１に記載のメディアファイルの伝送方法。
【請求項３】
ステップＤにおいて、前記サーバーは、照合により第２の電子装置が伝送した前記第２の識別データが前記記録データグループにおける前記第１の識別データと一致しないと判断したとき、通知メッセージを前記第２の電子装置に伝送することを含む、請求項１に記載のメディアファイルの伝送方法。
【請求項４】
ステップＤにおいて、前記サーバーは、照合により第２の電子装置が伝送した前記第２の識別データが前記記録データグループにおける前記第１の識別データと一致しないと判断したとき、さらに、
前記サーバーは、要求コマンドを前記第２の電子装置に伝送して、前記第２の使用者が前記第２の電子装置にて再度に前記第２の識別データを入力するように要求し、前記第２の電子装置は、再度入力した前記第２の識別データを前記サーバーに伝送するステップＤ１と、
前記サーバーは、照合により前記第２の識別データが前記記録データグループにおける前記第１の識別データと一致すると判断したとき、前記メディアファイルの前記リンク情報を前記第２の電子装置に伝送するステップＤ２とを含む、請求項１に記載のメディアファイルの伝送方法。
【請求項５】
ステップＤ２では、照合により一致しないと判断したとき、ステップＤ１に戻る請求項４に記載のメディアファイルの伝送方法。
【請求項６】
ステップＤ２では、照合により一致しないと数回に判断したとき、前記サーバーは、前記記録データグループへのアクセス権限を無効化する、請求項５に記載のメディアファイルの伝送方法。
【請求項７】
前記サーバーは、前記記録データグループへのアクセス権限を無効化した後、さらに、前記サーバーが通知メッセージを前記第１の電子装置に伝送することを含む、請求項６に記載のメディアファイルの伝送方法。
【請求項８】
ステップＡに、前記第１の電子装置が前記サーバーに接続し、前記サーバーには複数のアカウントが記録されており、前記第１の使用者に前記第１の電子装置によってこれらのアカウントの一つを選択させることで、前記第１の識別データを構成することを含み、
ステップＣに、前記第２の識別データはアカウントである、請求項１に記載のメディアファイルの伝送方法。
【請求項９】
ステップＡに、前記第１の識別データは使用可能コードであり、ステップＣの前に、前記第１の電子装置は、前記使用可能コードを前記第２の電子装置に伝送することを含み、
ステップＣに、前記第２の識別データは、前記第２の使用者のアカウントと前記使用可能コードとを含み、
ステップＤに、前記サーバーは、照合により前記第２の識別データの使用可能コードが前記第１の識別データと一致すると判断したとき、さらに、前記記録データグループにおける前記第１の識別データを前記第２の使用者のアカウントに更新することを含む、請求項１に記載のメディアファイルの伝送方法。
【請求項１０】
ステップＤの後、前記サーバーは、更新された第１の識別データを前記第１の電子装置に伝送することを含む、請求項９に記載のメディアファイルの伝送方法。
【発明の詳細な説明】
【技術分野】
【０００１】
本発明は、電子データの転送に係わり、特に、メディアファイルの転送方法に係わる。
【背景技術】
【０００２】
科学技術の進歩に従い、ネットワーク技術も発展していく。情報の転送もますます便利になっている。多様化の通信ソフトウェアによって、ユーザは、任意に映像ファイル、音声ファイルなどのメディアファイルを他のユーザーに伝送して、情報共有の目的を達成する。
【０００３】
しかしながら、特定のユーザのみによるアクセスに提供するメディアファイルは、通常、メディアファイルを暗号化して圧縮ファイル（例えばＺＩＰファイル、ＲＡＲファイル）にパッケージ化して、暗号化された圧縮ファイルを特定の使用者に転送する一方、復号のため暗号を前記ユーザーに提供する。ユーザーは、電子装置において圧縮ファイルを受信してクリックした後、暗号を入力すれば、圧縮ファイルを展開してメディアファイルに戻して、電子装置でメディアファイルを再生する。
【０００４】
上記には、圧縮ファイルは、メディアファイルに暗号化保護を提供できるが、業界には、圧縮ファイルをデコードするデコードソフトウェアの開発に力を入れているソフトウェアの開発者がある。したがって、第三者が前記圧縮ファイルを取得したら、暗号がないにもかかわらず、デコードソフトウェアにより前記圧縮ファイルをデコードすれば、前記メディアファイルを取得でき、さらに、前記メディアファイルをネットにアップロードして、他人でもダウンロードできる状態になって、プライバシーが漏れるという問題がある。
【発明の概要】
【発明が解決しようとする課題】
【０００５】
これを鑑みて、本発明は、メディアファイル伝送の情報安全性を向上させる、メディアファイルの伝送方法を提供することを目的とする。
【課題を解決するための手段】
【０００６】
上記の目的を達成するために、本発明のメディアファイルの伝送方法は、第１の使用者は、第１の電子装置によって電子ラベルに記録した識別子を取得して、前記第１の電子装置に第１の識別データを入力してメディアファイルを選択して、前記第１の電子装置は、前記識別子、前記第１の識別データ及び前記メディアファイルをサーバーに伝送するステップＡと、
前記サーバーは、前記メディアファイルを記憶して、前記識別子、前記第１の識別データ及び前記メディアファイルのリンク情報を含む記録データグループを生成するステップＢと、
第２の使用者は、第２の電子装置により前記電子ラベルに記録した前記識別子を取得して、前記第２の電子装置に第２の識別データを入力し、前記第２の電子装置は、前記識別子及び前記第２の識別データを前記サーバーに伝送するステップＣと、
前記サーバーは、第２の電子装置が伝送した前記識別子及び前記第２の識別データと前記記録データグループにおける前記識別子及び前記第１の識別データとを照合してそれぞれ一致すると判断したとき、前記メディアファイルの前記リンク情報を前記第２の電子装置に伝送し、前記第２の電子装置は、受信した前記リンク情報に基づいて前記メディアファイルを取得するステップＤとを含む。
【発明の効果】
【０００７】
本発明によれば、第２の使用者は、電子ラベルに基づいて正確な第２の識別データに合わせてメディアファイルを取得して、メディアファイルを取得するときの情報安全性を向上させる。第三者が前記電子ラベルを取得したとしても、前記メディアファイルを簡単に取得できない。
【図面の簡単な説明】
【０００８】
【図１】本発明の第１の好ましい実施形態に係わるメディアファイルの伝送方法に適用されるデータ管理システム及びその接続構造を示す。
【図２】上述の好ましい実施形態に係わるメディアファイルの伝送方法を示すフローチャート。
【図３】上述の好ましい実施形態に係わるデータベースの内容を示す模式図。
【図４】上述の好ましい実施形態に係わるメディアファイルの伝送方法のもう一つの部分フローチャート。
【図５】本発明の第２の好ましい実施形態に係わるメディアファイルの伝送方法のフローチャート。
【発明を実施するための形態】
【０００９】
以下、図面を参照しながら、本発明の好ましい実施形態を詳細に説明する。図１は、本発明の第１の好ましい実施形態に係わるメディアファイルの伝送方法に適用されるデータ管理システム１００及びその接続構造である。前記データ管理システム１００は、サーバー１０と、データベース１２とを含む。その中のサーバー１０は上記データベース１２に接続する。前記サーバー１０は、有線または無線によりネットワーク２０に接続される。前記サーバー１０は、データベース１２におけるデータを処理するとともに、データを前記データベース１２に記憶する。本実施形態に係わるデータベース１２は、図１においてサーバー１０と別に示されているが、これに限らず、データベース１２とサーバー１０とは同じホストに配置してもよい。
【００１０】
第１の電子装置３０と第２の電子装置４０は、それぞれネットワーク２０を介してサーバー１０に接続される。前記第１の電子装置３０と前記第２の電子装置４０はコンピュータ、スマートフォン、パネルコンピュータなどの有線または無線によるネットワークに接続できるデバイスである。
【００１１】
前記第１の電子装置３０は、第１の使用者に所持されており、前記第２の電子装置４０は、第２の使用者に所持されている。第１の電子装置３０は、第１のスクリーン３２及び第１のラベル読み取りモジュール３４を有し、前記第１のスクリーン３２はデータを表示するためのものであり、前記第１のラベル読み取りモジュール３４は、非接触により少なくとも一つの電子ラベル５０を読み取って、電子ラベル５０に記録された対応の識別子を取得する。電子ラベル５０は、例えばＲＦＩＤラベルであってもよい。前記少なくとも一つの電子ラベル５０は、独立して使用されてもよいが、少なくとも一つの物品６０と合わせて使用されてもよい。例えば、電子ラベル５０は、少なくとも一つの物品６０に設けられるかまたは物品６０の近傍に設けられる。実務上、複数の電子ラベル５０を使用するかまたは、これらの電子ラベル５０はそれぞれ複数の物品６０と合わせて使用されることもよい。第１のラベル読み取りモジュール３４は、一回、一つまたは複数の電子ラベル５０を読み取ることができる。第２の電子装置４０は、第２のスクリーン４２及び第２のラベル読み取りモジュール４４を有し、その機能は第１の電子装置３０のそれと同じであるので、重複説明を省略する。
【００１２】
上記の物品６０は、例えば器材、プレゼントなどの任意のものであってもよい。
【００１３】
上記の構成により、本実施形態に係るメディアファイルの伝送方法を実行し、前記方法は、図２に示した以下のステップを含む。
【００１４】
ステップＳ１１：第１の使用者は、前記第１の電子装置３０によって前記電子ラベル５０に記録した対応の識別子を取得して、前記第１の電子装置３０に第１の識別データを入力してメディアファイルを選択する。前記第１の電子装置３０は、前記識別子、前記第１の識別データ、及び前記メディアファイルを前記サーバー１０に伝送する。
【００１５】
本実施形態では、使用者は、第１の電子装置３０を操作して、第１の電子装置３０が前記第１のラベル読み取りモジュール３４により前記電子ラベル５０を読み取って、前記識別子を取得して記憶させるようにアプリケーションプログラムを実行する。実務上、第１の使用者によって手で第１の電子装置３０上に識別子を入力して、例えば、電子ラベル５０の識別子は、紙または電子ラベル上に印刷されている場合、第１の使用者がそれを見てから手で識別子を入力するものである。
【００１６】
このステップＳ１１において、第１の使用者は、前記第１の電子装置３０を操作して撮像モジュール（図示せず）により映像を録画して前記メディアファイルを作成する。そして、第１の使用者は、前記第１の電子装置３０に第１の識別データを入力して録画したメディアファイルを選択する。
【００１７】
前記の第１の識別データは、本実施形態においてはアカウントであり、即ち、第２の使用者のアカウントであり、例えば、サーバーにおける第２の使用者のアカウント、または例えばｅ−ｍａｉｌ、Ｌｉｎｅ、ＷｅＣｈａｔなどのような第２の使用者の通信アカウントである。実務上、第１の識別データは第２の使用者の電話番号であってもよい。
【００１８】
アカウントの入力方法は、直接入力または前記第１の電子装置３０が前記サーバーに接続して取得することができる。例として、前記サーバー１０に複数の使用者のアカウントが記録され、前記第１の電子装置３０は、サーバー１０に接続して第１の使用者のアカウントで登録した後、前記サーバー１０は、他の複数のアカウントを第１の電子装置３０に伝送して、第１の使用者が前記第１の電子装置３０によりこれらのアカウントのうちの一つ（即ち第２の使用者のアカウントを選択）を選択する。
【００１９】
そして、前記第１の電子装置３０は、ネットワーク２０を介して前記識別子、前記第１の識別データ、及び前記メディアファイルを前記サーバー１０に伝送する。また、第１の電子装置３０は、第１の使用者のアカウントをサーバー１０に伝送してもよい。
【００２０】
前記メディアファイルは、映像ファイルの他、音声ファイルまたはマルチメディアファイルであってもよい。音声ファイルを例にすれば、使用者は、第１の電子装置３０の録音モジュール（図示せず）を用いて録音することができる。
【００２１】
直接録画の他に、使用者は、第１の電子装置３０における既存のメディアファイルを選択してもよい。
【００２２】
ステップＳ１２：前記サーバー１０は、前記メディアファイルを記憶して、前記識別子と、前記第１の識別データと、前記メディアファイルのリンク情報とを含む、記録データグループを生成する。
【００２３】
本実施形態においては、前記サーバー１０は、メディアファイルを受信した後、それを前記データベース１２に記憶して、図３に示す記録データグループＤ０１を生成して前記データベースに記憶する。その中の前記記録データグループは、複数の欄を含む。欄Ｆ１は、識別子「ＩＤ００１」を記録するものであり、欄Ｆ２は第１の識別データ「ＹＫ０２」を記録するものであり、欄Ｆ３は、メディアファイルのリンク情報を記録するものであり、その内容は、「ＤＡＴＡ」で表示する。さらに、サーバー１０が第１の使用者のアカウントを受信すれば、欄Ｆ４は第１の使用者のアカウント「ＪＦ０１」を記録する。
【００２４】
サーバー１０は、記憶された前記メディアファイルに基づいて該メディアファイルにリンクできるネットアドレスを生成して、前記ネットアドレスをリンク情報とする。
【００２５】
本実施形態においては、データベース１２は、異なる識別子「ＩＤ００２」〜「ＩＤ００４」に対応する、複数の記録データグループＤ０２〜Ｄ０４を含み、記録データグループＤ０２〜Ｄ０４の他の欄Ｆ２〜Ｆ４の内容は、「ＤＡＴＡ」で表示する。
【００２６】
第１の使用者は、前記電子ラベル５０を前記物品６０とともに、第２の使用者に提供する。前記電子ラベル５０が単独に使用できる場合、前記電子ラベル５０を第２の使用者に伝送する。
【００２７】
ステップＳ１３：第２の使用者は、前記第２の電子装置４０によって前記電子ラベル５０に記録した対応の前記識別子を取得して、前記第２の電子装置４０に第２の識別データを入力する。前記第２の電子装置４０は、前記識別子及び前記第２の識別データを前記サーバー１０に伝送する。
【００２８】
本実施形態において、第２の使用者は、前記電子ラベル５０及び前記物品６０を受信した後、前記第２の使用者は、前記第２の電子装置４０を操作して、第２のラベル読み取りモジュール４４を起動することによって、第２の電子装置４０が前記電子ラベル５０を読み取って前記識別子を取得して記憶するようにアプリケーションプログラムを実行する。第２の使用者が第２の電子装置４０により入力した第２の識別データはアカウント（即ち、第２の使用者がサーバー１０に登録したアカウント）である。その後、前記第２の電子装置４０は、前記識別子及び第２の識別データをネットワーク２０を介して前記サーバー１０に伝送する。第２の識別データは、例えばｅ−ｍａｉｌ、Ｌｉｎｅ、ＷｅＣｈａｔなど、または第２の使用者による電話番号のような第２の使用者の通信アカウントであってもよい。
【００２９】
ステップＳ１４：前記サーバー１０は、照合により第２の電子装置４０が伝送した前記識別子及び前記第２の識別データが前記記録データグループＤ０１における前記識別子及び前記第１の識別データと一致すると判断したとき、前記メディアファイルの前記リンク情報を前記第２の電子装置４０に伝送する。前記第２の電子装置４０は、受信した前記リンク情報に基づいて前記メディアファイルを取得する。
【００３０】
例として、第２の電子装置４０が伝送した識別子が「ＩＤ００１」であり、第２の識別データが「ＹＫ０２」である場合、前記サーバー１０は、前記識別子「ＩＤ００１」とデータベース１２におけるこれらの記録データグループＤ１〜Ｄ４とを照合することによって、対応の記録データグループＤ１を見つける。さらに、第２の識別データが「ＹＫ０２」であって、記録データグループＤ１の欄Ｆ２の内容「ＹＫ０２」と符合すると判断するとき、欄Ｆ３の前記リンク情報を第２の電子装置４０に伝送する。
【００３１】
これにより、前記第２の電子装置４０は、リンク情報に基づいて前記メディアファイルを取得して再生でき、第２のスクリーン４２に画面を表示するのか、及び・または第２の電子装置４０のスピーカ（図示せず）により音声を再生する。第２の使用者は、第１の使用者が伝送しようとするメディアファイルの内容を知ることができる。
【００３２】
例として、メディアファイルは、物品６０の紹介映像または音声ファイル、操作説明映像または音声ファイル等であってもよい。メディアファイルは、第１の使用者が第２の使用者に伝送しようとする情報の映像または音声ファイルであってもよい。
【００３３】
なお、第２の識別データと第１の識別データを照合する必要があるので、メディアファイルを取得するときの情報安全性を向上させる。第三者が前記電子ラベル５０を取得したとしても、前記メディアファイルを簡単に取得することができない。
【００３４】
本実施形態に係わるメディアファイルの伝送方法は、上記のステップ以外、ステップＳ１４においては以下のステップをさらに含むことにより、情報安全性を向上させる。
【００３５】
前記サーバー１０は、照合により第２の電子装置４０が伝送した前記第２の識別データと前記記録データグループＤ０１の前記第１の識別データとが一致しないと判断するとき、前記サーバー１０は、通知メッセージを前記第２の電子装置４０に伝送して、第２の使用者が入力した第２の識別データには誤りがあることを通知する。そして、図４に示す以下のステップをさらに含む。
【００３６】
ステップＳ１４１：前記サーバー１０は、要求コマンドを前記第２の電子装置４０に伝送して、前記第２の使用者が前記第２の電子装置４０に再度に前記第２の識別データを入力するように指令して、前記第２の電子装置４０は、前記第２の識別データを前記サーバー１０に伝送する。
【００３７】
ステップＳ１４２：前記サーバー１０は、照合により前記第２の識別データと前記記録データグループＤ０１の前記第１の識別データとが一致すると判断したとき、前記メディアファイルの前記リンク情報を前記第２の電子装置４０に伝送する。一致しないと判断したとき、ステップＳ１４１に戻る。
【００３８】
上記ステップＳ１４１は、第２の電子装置４０が再度電子ラベル５０の識別子を取得してサーバー１０に伝送することを含んでもよい。ステップＳ１４１は、再度、識別子及び前記記録データグループＤ０１における前記識別子を照合することを含む。
【００３９】
さらに、ステップＳ１４２では、連続の照合により数回に符合しないと判断したとき、前記サーバー１０は、前記記録データグループＤ１のアクセス権限を無効化する。これにより、第２の電子装置４０は、前記メディアファイルを取得することができない。前記記録データグループＤ１のアクセス権限を無効化した後、前記サーバー１０が、通知メッセージを前記第１の電子装置３０に伝送することによって、前記第１の使用者は、前記メディアファイルを第２の電子装置４０に伝送できないことを知る。
【００４０】
上記のステップＳ１４１〜Ｓ１４２によって、本実施形態に係わるメディアファイルの伝送方法の安全性を向上させる。
【００４１】
図５は、本発明の第２の実施形態に係わるメディアファイルの伝送方法を示す。ステップＳ２１〜Ｓ２４は、第１の実施形態にそれと大抵同じであるが、ステップＳ２１においては、前記第１の識別データは、使用可能なコードであってもよいという点に相違する。例えば、第１の使用者が第２の使用者のアカウントが分からない場合、前記使用可能なコードを前記第１の識別データとする。前記使用可能なコードは、第１の使用者そのものにより前記第１の電子装置３０に入力されるか、または第１の電子装置３０により発生されることができる。
【００４２】
第１の使用者は、ステップＳ２３の前のいずれかのステップにおいて（ステップＳ２１を例に）、前記使用可能コードを前記第１の電子装置３０により前記第２の電子装置４０に転送する。
【００４３】
ステップＳ２３において、前記第２の使用者は、前記第２の電子装置４０に、第２の使用者のアカウント及び前記使用可能なコードを含む第２の識別データを入力する。
【００４４】
ステップＳ２４において、前記サーバー１０は、照合により前記第２の識別データの使用可能なコードが前記第１の識別データと一致すると判断するとき、前記リンクデータを前記第２の電子装置４０に転送するだけではなく、前記記録データグループＤ０１における前記第１の識別データを第２の使用者のアカウントに更新することを含む。
【００４５】
そして、前記サーバー１０は、更新された第１の識別データ（即ち、第２の使用者のアカウント）を前記第１の電子装置３０に転送する。これにより、第１の使用者は、メディアファイルを第２の使用者に転送するだけではなく、第２の使用者のアカウントを知ることができる。
【００４６】
これにより、第２の使用者は、第２の電子装置４０によって電子ラベル５０を読み取って、第２の使用者のアカウントを入力して、サーバー１０の照合により記録データグループＤ０１と一致すると判断した後、第２の電子装置４０は、メディアファイルのリンク情報を取得することができる。
【００４７】
上述したものは本発明の好ましい実施形態に過ぎず、本発明の明細書及び特許請求の範囲の均等な変化はすべて、本発明の特許請求の範囲内に含まれるべきである。
【符号の説明】
【００４８】
１００データ管理システム
１０サーバー        １２データベース
２０ネットワーク
３０第１の電子装置    ３２第１のスクリーン        ３４第１のラベル読み取りモジュール
４０第２の電子装置    ４２第２のスクリーン        ４４第２のラベル読み取りモジュール
５０電子ラベル
６０物品
Ｄ０１〜Ｄ０４記録データグループ
Ｆ１〜Ｆ４欄
Ｓ１１〜Ｓ１４、Ｓ１４１、Ｓ１４２ステップ
Ｓ２１〜Ｓ２４ステップ
【図１】
0006891229.tif 000002
【図２】
0006891229.tif 000003
【図３】
0006891229.tif 000004
【図４】
0006891229.tif 000005
【図５】
0006891229.tif 000006